(57)【特許請求の範囲】
【請求項１】
アウトソールと、気泡を含むミッドソールとを備えたゴルフシューズ用の靴底であって、
硬質弾性体からなる安定板をさらに備えており、この安定板が、土踏まず部近傍のミッドソールの内側壁面に接合された内側起立部と、この内側起立部から踵部まで延びてミッドソールの後方壁面に接合された内側後方部と、土踏まず部近傍のミッドソールの外側壁面に接合された外側起立部と、この外側起立部から踵部まで延びてミッドソールの後方壁面に接合された外側後方部とを有しており、
この安定板の上端が、ミッドソールの上端より下方に位置していることを特徴とする靴底。
【請求項２】
上記内側後方部と外側後方部とが踵部の後端近傍において互いに連続している請求項１に記載の靴底。
【請求項３】
上記安定板が、内側起立部に連続しており土踏まず部近傍のミッドソール下面の内側寄りに接合された内側ベース部と、外側起立部に連続しており土踏まず部近傍のミッドソール下面の外側寄りに接合された外側ベース部とをさらに備えている請求項１又は請求項２に記載の靴底。
【請求項４】
上記内側ベース部と外側ベース部とが連結部によって連結されており、この連結部が土踏まず部近傍のミッドソール下面の中央寄りに接合されている請求項３に記載の靴底。
【請求項５】
アッパー部と、請求項１から請求項４のいずれか１項に記載の靴底とを備えたゴルフシューズ。
【発明の詳細な説明】
【０００１】
【発明の属する技術分野】
本発明は、気泡を含むミッドソールを備えた靴底に関する。さらに本発明は、この靴底が用いられたゴルフシューズに関する。
【０００２】
【従来の技術】
ゴルフシューズ用の靴底は、通常アウトソールとミッドソールとから構成されている。アウトソールは直接地面と接し、また地面と擦動するので、強度と耐摩耗性とに優れることが必要である。このため、アウトソールは硬質のゴムや合成樹脂から構成されることが多い。一方、ミッドソールは着地時に足に伝わる衝撃を吸収する必要があるので、気泡を含むゴムや合成樹脂から構成されることが多い（いわゆるスポンジミッドソール）。着地時の衝撃は主として靴底の厚み方向に伝達されるので、この衝撃が吸収されるには、ミッドソールはある程度厚肉とされる必要がある。
【０００３】
気泡を含むミッドソールは柔軟であるので、厚み方向のみならず、せん断方向（厚み方向と垂直な方向）にも容易に変形する。ゴルファーがゴルフクラブをスイングする際にミッドソールがせん断変形を起こすと、足の位置が不安定となり、スイングフォームが乱れてしまうことがある。また、ミッドソールがせん断変形を起こすことにより、ゴルファーが歩行しづらくなってしまうこともある。
【０００４】
靴の安定性向上を目的として、従来種々の提案がなされている。例えば、実公平１−３０８８２号公報では、甲被部（アッパー部）の踵寄りに補強部品が設けられた運動靴が開示されている。しかしながら、この補強部品はあくまで甲被部の動きを抑えるものであるので、ミッドソールのせん断変形を抑えることはできない。また、この補強部品は踵寄りに設けられるものなので、ゴルフクラブスイング中にせん断変形を最も起こしやすい部分である土踏まず部の安定性向上には、寄与し得ない。
【０００５】
実公昭６２−２２１６１号公報には、ソールと甲被とを包み込む踵安定部片を備えた靴が開示されている。この踵安定部片も踵寄りに設けられるものなので、ゴルフクラブスイング中にせん断変形を最も起こしやすい部分である土踏まず部の安定性向上には、寄与し得ない。
【０００６】
実公平４−２０２４６号公報には、硬質弾性体からなるヒールカウンターを備えた運動靴が開示されている。このヒールカウンターはミッドソールとアッパー部との間に設けられるものであるので、ミッドソールのせん断変形を抑えることはできない。また、ミッドソールよりも上方に硬質弾性体からなるヒールカウンターが設けられることにより、着地時の厚み方向の衝撃吸収性能が著しく害されるおそれがある。
【０００７】
実公平５−３７７６４号公報には、補強壁を有しており硬質材から形成された補強体を備えたスポーツ靴が開示されている。この補強壁は踵部の側部を覆うものであるので、ゴルフクラブスイング中にせん断変形を最も起こしやすい部分である土踏まず部の安定性は、十分には向上しない。
【０００８】
特開平１１−２０３号公報には、波形シートが介在するミッドソールを備えたスポーツ用シューズが開示されている。このミッドソールでは、波形シートの影響で、着地時の厚み方向の衝撃吸収性能が著しく害されるおそれがある。
【０００９】
【発明が解決しようとする課題】
このように、着地時の厚み方向の衝撃吸収性能がよく、しかもゴルフクラブスイング中にせん断変形を最も起こしやすい部分である土踏まず部の安定性が高められたゴルフシューズは未だ得られていない。
本発明はこのような問題に鑑みてなされたものであり、その目的は、衝撃吸収性と安定性との両方に優れた靴底及びこの靴底が用いられたゴルフシューズの提供にある。
【００１０】
上記の目的を達成するためになされた発明は、
アウトソールと、気泡を含むミッドソールとを備えたゴルフシューズ用の靴底であって、
硬質弾性体からなる安定板をさらに備えており、この安定板が、土踏まず部近傍のミッドソールの内側壁面に接合された内側起立部と、この内側起立部から踵部まで延びてミッドソールの後方壁面に接合された内側後方部と、土踏まず部近傍のミッドソールの外側壁面に接合された外側起立部と、この外側起立部から踵部まで延びてミッドソールの後方壁面に接合された外側後方部とを有しており、
この安定板の上端が、ミッドソールの上端より下方に位置していることを特徴とする靴底、
である。
【００１１】
この靴底では、土踏まず部近傍のミッドソールの内側壁面と外側壁面とにそれぞれ安定板の内側起立部及び外側起立部が接合されており、また、この安定板が内側後方部と外側後方部とを備えているので、安定板によってミッドソールのせん断変形が規制される。また、この安定板の上端は、ミッドソールの上端より下方に位置しており、足とミッドソールとの間には介在しないので、ミッドソールの厚み方向の衝撃吸収性にはほとんど悪影響を与えず、良好な履き心地が担保される。従って、この靴底を備えたゴルフシューズを着用したゴルファーは、優れた安定性と高い衝撃吸収性との両方を得ることができる。
【００１２】
好ましくは、内側後方部と外側後方部とは踵部の後端近傍において互いに連続する。これにより、ミッドソールのせん断変形がよりよく規制され、ゴルフシューズの安定性が高まる。
【００１３】
好ましくは、安定板は、内側ベース部と外側ベース部とをさらに備える。この内側ベース部は、内側起立部に連続しており土踏まず部近傍のミッドソール下面の内側寄りに接合される。また、外側ベース部は、外側起立部に連続しており土踏まず部近傍のミッドソール下面の外側寄りに接合される。これにより、ミッドソールのせん断変形がよりよく規制され、ゴルフシューズの安定性が高まる。
【００１４】
好ましくは、内側ベース部と外側ベース部とは連結部によって連結される。そして、この連結部は土踏まず部近傍のミッドソール下面の中央寄りに接合される。連結部により、荷重がかかった際に内側ベース部と外側ベース部との間隔が広がってしまうことが防止される。これにより、ミッドソールのせん断変形がよりよく規制され、ゴルフシューズの安定性が高まる。
【００１６】
【発明の実施の形態】
以下、適宜図面が参照されつつ、本発明の実施形態が説明される。
【００１７】
図１は本発明の一実施形態にかかるゴルフシューズ用の靴底が示された正面図である。また、図２は、図１の靴底が示された左側面図である。また、図３は、図１の靴底が示された右側面図である。また、図４は、図１中のIV−IV線に沿った断面図である。さらに、図５は、図１中のＶ−Ｖ線に沿った断面図である。図１から図５に示された靴底は、左足用である。従って、図１における左側が足の内側であり、図１における右側が足の外側である。なお、右足用の靴底の形状は、これらの図の鏡像形状である。
【００１８】
図２に示されるように、この靴底は、踵部Ａ、土踏まず部Ｂ及び前方部Ｃから構成されている。踵部Ａは、人体の踵に相当する部分である。また、土踏まず部Ｂは、人体の土踏まずに相当する部分である。そして、前方部Ｃは、人体の土踏まずよりも前方に位置する部分である。踵部Ａ及び前方部Ｃは、靴底の接地面を形成している。図示されていないが、この靴底にアッパー部等が取り付けられることにより、ゴルフシューズが構成される。この靴底は、前側アウトソール１、後側アウトソール３、ミッドソール５及び安定板７を備えている。また、この靴底の下面には、ロゴプレート９（図１参照）が取り付けられている。
【００１９】
図１、図２及び図３に示されるように、前側アウトソール１及び後側アウトソール３（以下、両者が合わされて「アウトソール１、３」とも称される）の下面には、多数の突起１１が形成されている。この突起１１は、ゴルフクラブスイング時や歩行時の滑り止めのために設けられている。また、アウトソール１，３の下面には、鋲受部１３が形成されている。この鋲受部１３には、滑り止め用の鋲が取り付けられる。アウトソール１、３の材質は特には制限されないが、通常はゴム又は合成樹脂からなる。アウトソール１、３は地面と接触する部分であるので、強度と耐摩耗性とに優れることが必要である。このため、アウトソール１、３は通常は気泡を含まない（いわゆるソリッドゴム又はソリッド樹脂）。
【００２０】
図４は前述のように図１中のIV−IV線に沿った断面図であり、この図は土踏まず部Ｂの断面を示している。また、図５は前述のように図１中のＶ−Ｖ線に沿った断面図であり、この図は踵部Ａの断面を示している。図４及び図５から明らかなように、ミッドソール５は、本体部１５、内側壁部１７及び外側壁部１９からなる。本体部１５、内側壁部１７及び外側壁部１９は、この実施形態では一体的に成形されている。
【００２１】
ミッドソール５の材質は特には制限されないが、例えばエチレン−酢酸ビニル共重合体、ポリウレタン等を基材ポリマーとする組成物が好適に用いられ得る。特に、軽量であってしかも耐加水分解性に優れるエチレン−酢酸ビニル共重合体が好ましい。
【００２２】
ミッドソール５は、気泡を含んでいる。気泡は、発泡剤の発泡、微小中空球（「マイクロバルーン」等と称される）の配合等によって形成される。気泡によりミッドソール５が柔軟となり、靴底の衝撃吸収性が高められる。ミッドソール５の発泡倍率は、１．５倍から１０倍が好ましい。
【００２３】
ミッドソール５の厚み（踵部Ａにおける本体部１５の最も厚い箇所の厚み）は１５ｍｍ以上２７ｍｍ以下が好ましく、１７ｍｍ以上２２ｍｍ以下が特に好ましい。厚みが上記範囲未満であると、衝撃吸収性が不十分となってしまうことがある。逆に、厚みが上記範囲を超えると、安定性が不十分となってしまうことがある。
【００２４】
ミッドソール５の、日本ゴム協会標準規格（ＳＲＩＳ  ０１０１）に規定されたアスカーＣ型硬度計で測定された硬度は５０以上７５以下が好ましく、５５以上７０以下が特に好ましい。硬度が上記範囲未満であると、安定性が低下してしまうことがある。逆に、硬度が上記範囲を超えると、衝撃吸収性が不十分となってしまうことがある。
【００２５】
図４に示されるように、土踏まず部Ｂでは、安定板７は内側起立部２１、外側起立部２３、内側ベース部２５及び外側ベース部２７を備えている。そして、内側ベース部２５と外側ベース部２７とは、連結部２９によって連結されている。内側起立部２１、内側ベース部２５、連結部２９、外側ベース部２７及び外側起立部２３は、この実施形態では一体的に成形されている。内側起立部２１は、内側壁部１７の壁面（内側壁面）に接合されている。外側起立部２３は、外側壁部１９の壁面（外側壁面）に接合されている。内側ベース部２５は、本体部１５の下面の内側寄りに接合されている。外側ベース部２７は、本体部１５の下面の外側寄りに接合されている。連結部２９は、本体部１５の下面の中央寄りに接合されている。すなわち、土踏まず部Ｂの近傍では、ミッドソール５の壁面及び下面は、安定板７によってほぼ覆われている。従って、安定板７によってミッドソール５のせん断方向の変形が規制され、靴底の安定性が向上する。また、この安定板７は、足とミッドソール５との間には介在しないのでミッドソール５の厚み方向の変形を阻害することはほとんどない。従って、靴底の衝撃吸収性はほぼ維持される。
【００２６】
図２、図３及び図５に示されるように、踵部Ａでは、安定板７は内側後方部３１及び外側後方部３３を備えている。内側後方部３１は内側起立部２１から延びており、内側壁部１７の後方寄り（後方壁面）に接合されている。外側後方部３３は外側起立部２３から延びており、外側壁部１９の後方寄り（後方壁面）に接合されている。このように、踵部Ａまで安定板７が至ることにより、ミッドソール５のせん断変形がよりよく規制される。内側後方部３１と外側後方部３３とは踵部Ａの後端で互いに連続しており、これによってミッドソール５のせん断変形がより確実に規制される。
【００２７】
安定板７は、硬質弾性体からなる。安定板７に用いられる基材ポリマーとしては、例えばエチレン−酢酸ビニル共重合体、ポリウレタン、ポリアミド、ポリエステル等が挙げられる。特に、ミッドソール５との接着性に優れるエチレン−酢酸ビニル共重合体及びポリウレタンが好適である。
【００２８】
安定板７はミッドソール５の変形を規制するものであるので、ミッドソール５よりも高硬度である必要がある。安定板７の、ＪＩＳ−Ｋ−６２５３に準拠してデュロメータタイプＡにて測定される硬度（ＪＩＳ−Ａ硬度）は、７５以上１００未満が好ましく、７５以上９５以下が特に好ましく、８５以上９５以下がさらに好ましい。硬度が上記範囲未満であると、安定板７がミッドソール５のせん断方向の変形を十分規制することができなくなってしまうことがある。逆に、硬度が上記範囲を超えると、ミッドソール５の衝撃吸収性が不十分となってしまうことがあり、また、安定板７とミッドソール５との間の層間剥離が発生しやすくなってしまうことがある。
【００２９】
安定板７の厚みは１．５ｍｍ以上４ｍｍ以下が好ましく、２ｍｍ以上３ｍｍ以下が特に好ましい。厚みが上記範囲未満であると、安定板７がミッドソール５の変形を規制する効果が不十分となってしまうことがある。逆に、厚みが上記範囲を超えると、ゴルフシューズの外観が不良となってしまうことがある。
【００３０】
安定板７の上端は、ミッドソール５の上端よりも下方に位置している。このため、ミッドソール５の上端近傍は、安定板７に被覆されていない。すなわち、安定板７の内側起立部２１、内側後方部３１、外側起立部２３及び外側後方部３３は、アッパー部に至らないような高さとされている。これにより、ゴルフシューズの良好な履き心地が維持され、また、安定板７とアッパー部との接合の手間が省かれる。内側起立部２１の内側ベース部２５からの高さ及び外側起立部２３の外側ベース部からの高さ（高さが位置によって異なる場合は、最も高い部分の高さ）は、１５ｍｍ以上４０ｍｍ以下が好ましく、２０ｍｍ以上３５ｍｍ以下が特に好ましい。高さが上記範囲未満であると、安定板７がミッドソール５のせん断変形を十分に規制することができなくなってしまうことがある。逆に、高さが上記範囲を超えると、安定板７がアッパー部にまで至ってしまうおそれがある。内側後方部３１及び外側後方部３３の鉛直方向の幅（幅が位置によって異なる場合は、最も大きい部分の幅）は、８ｍｍ以上２０ｍｍ以下が好ましく、１０ｍｍ以上１５ｍｍ以下が特に好ましい。幅が上記範囲未満であると、安定板７がミッドソール５のせん断変形を十分に規制することができなくなってしまうことがある。逆に、幅が上記範囲を超えると、安定板７がアッパー部にまで至ってしまうおそれがある。
【００３１】
安定板７は、前側埋設部３５と後側埋設部３７とを備えている。前側埋設部３５は、ミッドソール５と前側アウトソール１との間に埋設されている。後側埋設部３７は、ミッドソール５と後側アウトソール３との間に埋設されている。前側埋設部３５及び後側埋設部３７によって、安定板７のミッドソール５への接合がより確実となる
【００３２】
図６は本発明の他の実施形態にかかるゴルフシューズ用の靴底が示された正面図である。また、図７は、図６の靴底が示された左側面図である。また、図８は、図６の靴底が示された右側面図である。また、図９は、図６中のIX−IX線に沿った断面図である。さらに、図１０は、図６中のＸ−Ｘ線に沿った断面図である。図６から図１０に示された靴底は、左足用である。従って、図６における左側が足の内側であり、図６における右側が足の外側である。なお、右足用の靴底の形状は、これらの図の鏡像形状である。
【００３３】
図７に示されるように、この靴底は、踵部Ａ、土踏まず部Ｂ及び前方部Ｃから構成されている。図６から図１０における図１から図５に示された靴底と同等の部材は、図１から図５と同一の符号が付され、また、以下の記述においてその説明が省略される。この靴底は、前側アウトソール１、後側アウトソール３、ミッドソール５及び安定板３９を備えている。また、この靴底の下面には、ロゴプレート９が取り付けられている。
【００３４】
図６及び図９に示されるように、土踏まず部Ｂでは、安定板３９は内側起立部２１、外側起立部２３、内側ベース部２５及び外側ベース部２７を備えている。この安定板３９は、図１及び図４に示された安定板７のような連結部２９を有していない。従って、内側ベース部２５と外側ベース部２７とは、ロゴプレート９を挟んで互いに離間している。もちろん、連結部２９が存在する安定板７の方がよりよくミッドソール５のせん断変形を規制するが、内側ベース部２５と外側ベース部２７とが離間した安定板３９であっても、ミッドソール５のせん断変形を規制することができる。
【００３５】
【実施例】
以下、実施例に基づき本発明の効果が明らかにされるが、この実施例の記載に基づいて本発明が限定的に解釈されるべきではないことはもちろんである。
【００３６】
［実施例１］
起立部（内側起立部及び外側起立部）、後方部（内側後方部及び外側後方部）、ベース部（内側ベース及び外側ベース部）並びに連結部を備えた、ポリウレタンを基材ポリマーとする安定板を用意した。この安定板のＪＩＳ−Ａ硬度は、９０であった。一方、エチレン−酢酸ビニル共重合体を基材ポリマーとしアスカーＣ硬度が６５であるスポンジミッドソールと、スチレン−ブタジエン共重合体及びポリブタジエンを基材ポリマーとするアウトソール（前側アウトソール及び後側アウトソール）とを用意した。そして、図１から図５に示されるようにこれらを接合し、さらにアッパー部も取り付けて、実施例１のゴルフシューズを得た。
【００３７】
［実施例２及び３並びに比較例１及び２］
連結部を有さない安定板を用いた他は実施例１と同様にして、実施例２のゴルフシューズを得た。また、ベース部及び連結部を有さない安定板を用いた他は実施例１と同様にして、実施例３のゴルフシューズを得た。また、後方部のみからなる安定板を用いた他は実施例１と同様にして、比較例１のゴルフシューズを得た。さらに、ベース部及び連結部のみからなる安定板を用いた他は実施例１と同様にして、比較例２のゴルフシューズを得た。
【００３８】
［比較例３］
安定板を全く設けなかった他は実施例１と同様にして、比較例３のゴルフシューズを得た。
【００３９】
［実施例４及び５］
配合を変更することによってミッドソールの硬度を４０とした他は実施例１と同様にして、実施例４のゴルフシューズを得た。また、配合を変更することによってミッドソールの硬度を８０とした他は実施例１と同様にして、実施例５のゴルフシューズを得た。
【００４０】
［実施例６及び７］
同種類であって軟質タイプのポリマーを採用することによって安定板の硬度を７５とした他は実施例１と同様にして、実施例６のゴルフシューズを得た。また、同種類であって硬質タイプのポリマーを採用することによって安定板の硬度を９７とした他は実施例１と同様にして、実施例７のゴルフシューズを得た。
【００４１】
［官能試験］
各実施例及び各比較例のゴルフシューズをゴルファーに着用させ、天然芝の上でゴルフクラブのスイングと歩行とをさせた。そして、安定性及び衝撃吸収性について、評価させた。評価は、きわめてよいものを「◎」、よいものを「○」、やや悪いものを「△」、悪いものを「×」、そして、きわめて悪いものを「××」とした。この結果が、下記の表１に示されている。
【００４２】
【表１】
0003666734.tif 000002
【００４３】
表１において、安定板が起立部を有さない比較例１及び比較例２のゴルフシューズ並びに安定板を有さない比較例３のゴルフシューズでは、安定性がよくない。これに対し、安定板が起立部を有している各実施例のゴルフシューズでは安定性の評価が「○」以上となっており、しかも衝撃吸収性の評価も「△」以上となっている。この評価結果より、本発明の優位性が確認された。
【００４４】
【発明の効果】
以上説明されたように、本発明のゴルフシューズは、安定性と衝撃吸収性との両方に優れる。
【図面の簡単な説明】
【図１】図１は、本発明の一実施形態にかかるゴルフシューズ用の靴底が示された正面図である。
【図２】図２は、図１の靴底が示された左側面図である。
【図３】図３は、図１の靴底が示された右側面図である。
【図４】図４は、図１中のIV−IV線に沿った断面図である。
【図５】図５は、図１中のＶ−Ｖ線に沿った断面図である。
【図６】図６は、本発明の他の実施形態にかかるゴルフシューズ用の靴底が示された正面図である。
【図７】図７は、図６の靴底が示された左側面図である。
【図８】図８は、図６の靴底が示された右側面図である。
【図９】図９は、図６中のIX−IX線に沿った断面図である。
【図１０】図１０は、図６中のＸ−Ｘ線に沿った断面図である。
【符号の説明】
１・・・前側アウトソール
３・・・後側アウトソール
５・・・ミッドソール
７、３９・・・安定板
９・・・ロゴプレート
１１・・・突起
１３・・・鋲受部
１５・・・本体部
１７・・・内側壁部
１９・・・外側壁部
２１・・・内側起立部
２３・・・外側起立部
２５・・・内側ベース
２７・・・外側ベース部
２９・・・連結部
３１・・・内側後方部
３３・・・外側後方部
３５・・・前側埋設部
３７・・・後側埋設部
【図１】
0003666734.tif 000003
【図２】
0003666734.tif 000004
【図３】
0003666734.tif 000005
【図４】
0003666734.tif 000006
【図５】
0003666734.tif 000007
【図６】
0003666734.tif 000008
【図７】
0003666734.tif 000009
【図８】
0003666734.tif 000010
【図９】
0003666734.tif 000011
【図１０】
0003666734.tif 000012